(57)【特許請求の範囲】
【請求項１】
通信相手局から送信された通信相手局における任意の単位時間毎の受信状態判定結果を含む信号を受信する受信手段と、この受信手段が受信した前記判定結果に基づいて、送信信号を送信するタイミングを早めるか否かを決定する送信タイミング制御手段と、を具備することを特徴とする送受信装置。
【請求項２】
前記送信タイミング制御手段は、受信した前記判定結果を含む信号中に含まれた通信相手局において受信状態が良好でないと判断された回数の連続回数を計数する計数部と、この計数部が計数した連続回数が所定値に達したか否かを判定する連続回数判定部と、を有し、前記連続回数が所定値に達した場合に送信タイミングを早めることを特徴とする請求項１記載の送受信装置。
【請求項３】
前記送信タイミング制御手段は、前記判定結果を含む信号中に含まれた通信相手局において受信状態が良好でないと判断された回数が所定時間内に所定数に達したか否かを判定する回数判定部を有し、前記回数が所定時間内に所定数に達した場合に送信タイミングを早めることを特徴とする請求項１記載の送受信装置。
【請求項４】
前記送信タイミング制御手段は、通信相手局との距離を推定する距離推定部を有し、この距離推定部によって推定された距離が所定値以下の場合には送信タイミングを早めないことを特徴とする請求項２又は請求項３記載の送受信装置。
【請求項５】
前記距離推定部は、通信局間距離、通信相手局アンテナ高及びキャリア周波数から伝搬損失を算出する演算式を予め保持し、自局における受信レベルと、受信した制御信号から得た通信相手局の送信レベル及びアンテナ高と、予め保持する自局のアンテナ利得及びキャリア周波数と、から前記演算式を用いて通信相手局との距離を推定することを特徴とする請求項４記載の送受信装置。
【請求項６】
請求項１から請求項５のいずれかに記載の送受信装置を具備することを特徴とする通信端末装置。
【請求項７】
請求項６記載の通信端末装置と無線通信を行うことを特徴とする基地局装置。
【請求項８】
通信相手局から送信された通信相手局における任意の単位時間毎の受信状態判定結果を含む信号を受信する受信工程と、この受信手段が受信した前記判定結果に基づいて、送信信号を送信するタイミングを早めるか否かを決定する送信タイミング制御工程と、を具備することを特徴とする送信タイミング制御方法。
【請求項９】
前記送信タイミング制御工程は、受信した前記判定結果を含む信号中に含まれた通信相手局において受信状態が良好でないと判断された回数の連続回数を計数し、この連続回数が所定値に達した場合に送信タイミングを早めることを特徴とする請求項８記載の送信タイミング制御方法。
【請求項１０】
前記送信タイミング制御工程は、前記判定結果を含む信号中に含まれた通信相手局において受信状態が良好でないと判断された回数が所定時間内に所定数に達した場合に送信タイミングを早めることを特徴とする請求項８記載の送信タイミング制御方法。
【請求項１１】
前記送信タイミング制御工程は、通信相手局との距離を推定する距離推定工程を有し、この推定された距離が所定値以下の場合には送信タイミングを早めないことを特徴とする請求項９又は請求項１０記載の送信タイミング制御方法。
【請求項１２】
前記距離推定工程は、通信局間距離、通信相手局アンテナ高及びキャリア周波数から伝搬損失を算出する演算式に、自局における受信レベルと、受信した制御信号から得た通信相手局の送信レベル及びアンテナ高と、予め保持する自局のアンテナ利得及びキャリア周波数と、を代入して通信相手局との距離を推定することを特徴とする請求項１１記載の送信タイミング制御方法。
【発明の詳細な説明】
【０００１】
【発明の属する技術分野】
本発明は、送受信装置に関し、特に、ＴＤＭＡ方式やＣＤＭＡ／ＴＤＤ方式のようにユーザ毎に時間を区切って送受信を行う方式の移動体通信に用いられる送受信装置及びその送信タイミング制御方法に関する。
【０００２】
【従来の技術】
ＴＤＭＡ方式やＣＤＭＡ／ＴＤＤ方式の移動体通信においては、任意の単位時間であるスロットを規定し、各スロットにユーザを割り当て、複数スロットから成るフレーム毎に送受信を切り替える。
【０００３】
以下、図３を用いて、従来の基地局装置及び通信端末装置に設けられる送受信装置について説明する。図３は、従来の送受信装置の概略構成を示す要部ブロック図である。
【０００４】
なお、本願は送信タイミング制御に関するものであり、その処理は主に制御信号によってなされるものであるため、以下の説明及び図面においてはユーザ・データ及びその処理系については詳しい説明を省略する。
【０００５】
図３に示す従来の送受信装置において、アンテナ３０１は、無線信号を送受信し、共用器３０２は、アンテナ３０１への送受信信号の入出力を切り替え、受信ＲＦ部３０３は、受信信号に対して受信処理を行う。
【０００６】
マッチドフィルタ（Ｍａｔｃｈｅｄ  Ｆｉｌｔｅｒ；以下、「ＭＦ」という）３０４は、受信信号の既知シンボル区間において、予め保持する既知シンボルを用いて相関値を算出し、受信信号のチャネル推定値を検出し、後述する復調部３０６に出力する。
【０００７】
スライディングコリレータ（Ｓｌｉｄｉｎｇ  Ｃｏｒｒｅｌａｔｏｒ；以下、「ＳＣ」という）３０５は、受信信号に対して、固有のコードを用いて逆拡散処理を行う。
【０００８】
復調部３０６は、逆拡散処理された各受信信号に対して、チャネル推定値を複素乗算し、位相回転及び振幅変動を補正し、復調する。
【０００９】
ＣＲＣチェック部３０７は、復調処理後の受信信号に対して、復調が正しく行われたか否かを判定する。
【００１０】
変調部３０８は、ＣＲＣチェック部３０７の出力である判定結果、すなわち正しく受信ができたか否かの判定結果、を変調処理し、送信ＲＦ部３１９は、変調処理された判定結果を送信処理し、共用器３０２を介して、アンテナ１０１から送信する。
【００１１】
この送信される判定結果は、すなわち再送要求であり、この信号を受信した通信相手局は、判定結果が受信状態の判定結果が誤りがなく良好であることを示していれば引き続き送信を行い、判定結果が誤りがあり正しく受信されていないことを示していれば送信信号を再送する。
【００１２】
このように、従来の送受信装置は、復調処理後の判定結果に基づき、正しく受信できなかった場合は通信相手局に再送要求をする。
【００１３】
次いで、図４を用いて、ＴＤＭＡ方式又はＣＤＭＡ／ＴＤＤ方式における各スロットに割り当てられた各ユーザのデータの抽出方法について説明する。図４は、従来の送受信装置におけるスロット受信の様子を示す模式図である。
【００１４】
従来の送受信装置が通信端末装置に用いられている場合、図４に示すように、各データの抽出は所望データ区間のみ受信系が稼動し、他のユーザ向けのデータ区間ではＯＦＦとなることによって行われる。
【００１５】
又、従来の送受信装置が複数の通信端末装置と無線通信を行っている基地局装置に用いられている場合、ユーザ毎に受信区間を変えることによって、各ユーザからの無線信号を受信する。
【００１６】
なお、通常、各スロットには、受信信号に遅延が生じた場合でも受信区間内で受信できるように、何もデータも含まれないガードタイムが設けられている。
【００１７】
すなわち、受信区間は、ユーザ・データ長とガードタイム長とを加算した長さを有し、ガードタイムは、受信信号に遅延が生じる場合のマージン区間となる。
【００１８】
したがって、受信信号に伝搬遅延が生じても、遅延時間がガードタイム長以下であれば、スロット全体が受信区間内に収まるため、スロット全体が正しく受信される。
【００１９】
【発明が解決しようとする課題】
しかしながら、従来の送受信装置においては、ガードタイム長を超える遅延が生じると、受信区間以降のデータは受信されなくなるという問題を生じる。以下、図５を用いて詳述する。図５は、従来の送受信装置におけるスロット受信の様子を示す模式図である。
【００２０】
図５（ａ）は、遅延時間がガードタイム長よりも短い場合を示しており、図示するように、１スロット全体が受信区間内に収まり、すべてのデータが受信される。
【００２１】
一方、図５（ｂ）は、遅延時間がガードタイム長よりも長い場合を示しており、データ・シンボルの最後端部が受信区間内に収まらず、受信区間を超える区間が受信されなくなる。
【００２２】
正しく受信されなかったことがＣＲＣチェックによって検出されると、図３を用いて既に説明したように、送信元である通信相手局に再送要求が送られる。
【００２３】
しかしながら、例えばこの遅延が通信局間の距離が離れていることに起因するものである場合、伝搬遅延はほぼ一定に継続すると考えられるため、再送要求が繰り返され、いつまでも通信を行うことができないという問題を生じる。
【００２４】
本発明はかかる点に鑑みてなされたものであり、ガードタイム長を上回る伝搬遅延を抑制する送受信装置を提供することを目的とする。
【００２５】
【課題を解決するための手段】
本発明の骨子は、送受信装置が、通信相手局から送信された再送要求の回数を監視し、ガードタイム長を上回る伝搬遅延が継続的に生じていると判断される場合に、送信信号の送信タイミングを早めることである。
【００２６】
【発明の実施の形態】
本発明の第１の態様に係る送受信装置は、通信相手局から送信された通信相手局における任意の単位時間毎の受信状態判定結果を含む信号を受信する受信手段と、この受信手段が受信した前記判定結果に基づいて、送信信号を送信するタイミングを早めるか否かを決定する送信タイミング制御手段と、を具備する構成を採る。
【００２７】
この構成によれば、通信相手局における受信状態が悪い場合に、送信タイミングを早めるため、伝搬遅延を抑制し、通信相手局における受信状態を改善することができる。
【００２８】
本発明の第２の態様に係る送受信装置は、第１の態様において、前記送信タイミング制御手段は、受信した前記判定結果を含む信号中に含まれた通信相手局において受信状態が良好でないと判断された回数の連続回数を計数する計数部と、この計数部が計数した連続回数が所定値に達したか否かを判定する連続回数判定部と、を有し、前記連続回数が所定値に達した場合に送信タイミングを早める構成を採る。
【００２９】
この構成によれば、通信相手局からの再送要求の連続受信回数に基づいて遅延時間が継続的にガードタイム長を超える状況を検出し、送信タイミングを早めるため、伝搬遅延を抑制し、通信相手局における受信状態を改善することができる。
【００３０】
本発明の第３の態様に係る送受信装置は、第１の態様において、前記送信タイミング制御手段は、前記判定結果を含む信号中に含まれた通信相手局において受信状態が良好でないと判断された回数が所定時間内に所定数に達したか否かを判定する回数判定部を有し、前記回数が所定時間内に所定数に達した場合に送信タイミングを早める構成を採る。
【００３１】
この構成によれば、所定時間内の通信相手局からの再送要求の受信回数に基づいて遅延時間が継続的にガードタイム長を超える状況を検出し、送信タイミングを早めるため、伝搬遅延を抑制し、通信相手局における受信状態を改善することができる。
【００３２】
本発明の第４の態様に係る送受信装置は、第２の態様又は第３の態様において、前記送信タイミング制御手段は、通信相手局との距離を推定する距離推定部を有し、この距離推定部によって推定された距離が所定値以下の場合には送信タイミングを早めない構成を採る。
【００３３】
この構成によれば、通信局間の推定距離がしきい値を超える時のみ送信タイミングを早めるため、遅延時間が継続的にガードタイム長を超える状況の検出精度を上げることができる。
【００３４】
本発明の第５の態様に係る送受信装置は、第４の態様において、前記距離推定部は、通信局間距離、通信相手局アンテナ高及びキャリア周波数から伝搬損失を算出する演算式を予め保持し、自局における受信レベルと、受信した制御信号から得た通信相手局の送信レベル及びアンテナ高と、予め保持する自局のアンテナ利得及びキャリア周波数と、から前記演算式を用いて通信相手局との距離を推定する構成を採る。
【００３５】
この構成によれば、受信系において容易に得られる情報から簡易に通信局間の推定距離を算出することができるため、通信局間の推定距離がしきい値を超える時のみ送信タイミングを早め、遅延時間が継続的にガードタイム長を超える状況の検出精度を上げることができる。
【００３６】
本発明の第６の態様に係る通信端末装置は、第１の態様から第５の態様のいずれかにおける送受信装置を具備する構成を採る。
【００３７】
この構成によれば、通信局間の距離が離れていることに起因し、ガードタイム長を上回る伝搬遅延が継続的に生じていると判断される場合に、ガードタイム長を上回る伝搬遅延を抑制し、通信相手局における受信状態を改善することができる。
【００３８】
本発明の第７の態様に係る基地局装置は、第６の態様における通信端末装置と無線通信を行う構成を採る。
【００３９】
この構成によれば、通信局間の距離が離れていることに起因し、ガードタイム長を上回る伝搬遅延が継続的に生じていると判断される場合に、ガードタイム長を上回る伝搬遅延を抑制し、通信相手局における受信状態を改善することができる。
【００４０】
本発明の第８の態様に係る送信タイミング制御方法は、通信相手局から送信された通信相手局における任意の単位時間毎の受信状態判定結果を含む信号を受信する受信工程と、この受信手段が受信した前記判定結果に基づいて、送信信号を送信するタイミングを早めるか否かを決定する送信タイミング制御工程と、を具備するようにした。
【００４１】
この方法によれば、通信相手局における受信状態が悪い場合に、送信タイミングを早めるため、伝搬遅延を抑制し、通信相手局における受信状態を改善することができる。
【００４２】
本発明の第９の態様に係る送信タイミング制御方法は、第８の態様において、前記送信タイミング制御工程は、受信した前記判定結果を含む信号中に含まれた通信相手局において受信状態が良好でないと判断された回数の連続回数を計数し、この連続回数が所定値に達した場合に送信タイミングを早めるようにした。
【００４３】
この方法によれば、通信相手局からの再送要求の連続受信回数に基づいて遅延時間が継続的にガードタイム長を超える状況を検出し、送信タイミングを早めるため、伝搬遅延を抑制し、通信相手局における受信状態を改善することができる。
【００４４】
本発明の第１０の態様に係る送信タイミング制御方法は、第８の態様において、前記送信タイミング制御工程は、前記判定結果を含む信号中に含まれた通信相手局において受信状態が良好でないと判断された回数が所定時間内に所定数に達した場合に送信タイミングを早めるようにした。
【００４５】
この方法によれば、所定時間内の通信相手局からの再送要求の受信回数に基づいて遅延時間が継続的にガードタイム長を超える状況を検出し、送信タイミングを早めるため、伝搬遅延を抑制し、通信相手局における受信状態を改善することができる。
【００４６】
本発明の第１１の態様に係る送信タイミング制御方法は、第９の態様又は第１０の態様において、前記送信タイミング制御工程は、通信相手局との距離を推定する距離推定工程を有し、この推定された距離が所定値以下の場合には送信タイミングを早めないようにした。
【００４７】
この方法によれば、通信局間の推定距離がしきい値を超える時のみ送信タイミングを早めるため、遅延時間が継続的にガードタイム長を超える状況の検出精度を上げることができる。
【００４８】
本発明の第１２の態様における送信タイミング制御方法は、第１１の態様において、前記距離推定工程は、通信局間距離、通信相手局アンテナ高及びキャリア周波数から伝搬損失を算出する演算式に、自局における受信レベルと、受信した制御信号から得た通信相手局の送信レベル及びアンテナ高と、予め保持する自局のアンテナ利得及びキャリア周波数と、を代入して通信相手局との距離を推定するようにした。
【００４９】
この方法によれば、受信系において容易に得られる情報から簡易に通信局間の推定距離を算出することができるため、通信局間の推定距離がしきい値を超える時のみ送信タイミングを早め、遅延時間が継続的にガードタイム長を超える状況の検出精度を上げることができる。
【００５０】
以下、本発明の実施の形態について、図面を参照して詳細に説明する。
【００５１】
なお、本願は送信タイミング制御に関するものであり、その処理は主に制御信号によってなされるものであるため、以下のいずれの実施の形態においても、説明及び図面においてはユーザ・データ及びその処理系については詳しい説明を省略する。
【００５２】
（実施の形態１）
本実施の形態に係る送受信装置は、通信相手局からの再送要求の連続受信回数に基づいて送信タイミングを変えるものである。
【００５３】
通信相手局における遅延時間がガードタイム長を超え、再送要求が送り返されてきた場合、その遅延が偶発的なものであれば再送要求は連続して送り返されてこないが、その遅延が通信局間の距離が離れていることに起因するものである場合、伝搬遅延はほぼ一定に継続すると考えられるため、通信局間距離が変わらない限り再送要求が連続して繰り返し送り返されることが予想される。
【００５４】
そこで、本実施の形態においては、再送要求の連続受信回数がしきい値を超えた場合に、遅延時間が継続的にガードタイム長を超える状況であると判断し、送信タイミングを早めるようにする。
【００５５】
以下、図１を用いて、本実施の形態に係る送受信装置について説明する。図１は、本発明の実施の形態１に係る送受信装置の概略構成を示す要部ブロック図である。
【００５６】
図１において、アンテナ１０１は、無線信号を送受信し、共用器１０２は、アンテナ１０１への送受信信号の入出力を切り替え、受信ＲＦ部１０３は、受信信号に対して受信処理を行う。
【００５７】
ＭＦ１０４は、受信信号の既知シンボル区間に対して、予め保持する既知シンボルを用いて相関値を算出し、受信信号のチャネル推定値を検出し、後述する復調部３０６に出力する。ＳＣ１０５は、受信信号に対して、固有のコードを用いて逆拡散処理を行う。
【００５８】
復調部１０６は、逆拡散処理された受信信号に対してＭＦ１０４の出力であるチャネル推定値を複素乗算し、位相回転及び振幅変動を補正し、復調する。
【００５９】
ＣＲＣチェック部１０７は、復調処理後の受信信号に対して、復調が正しく行われたか否かを判定し、出力する。
【００６０】
変調部１０８は、ＣＲＣチェック部１０７の出力である判定結果、すなわち正しく受信ができたか否かの判定結果、及び送信信号を変調処理する。送信ＲＦ部１０９は、変調処理された送信信号を送信処理し、共用器１０２を介して、アンテナ１０１から送信する。
【００６１】
この送信される判定結果は、すなわち再送要求であり、この信号を受信した通信相手局は、判定結果が受信状態の判定結果が誤りがなく良好であることを示していれば引き続き送信を行い、判定結果が誤りがあり正しく受信されていないことを示していれば送信信号を再送する。
【００６２】
又、判定部１１０は、ＣＲＣチェック部１０７の出力であるＣＲＣチェック後の受信信号中から再送要求、すなわち通信相手局において正しく受信できなかったという判定結果、を抽出し、カウントし、再送要求の受信された連続回数が任意のしきい値に達するか否かを判定する。
【００６３】
再送要求の連続受信回数が任意のしきい値に達すると、判定部１１０は、自局が通信相手局から離れた場所に位置し、通信相手局における伝搬遅延がガードタイム長を超え、このまま送信を続けても伝搬遅延は変わらず、再送要求が繰り返されるばかりで通信を行うことができない状態である、と判断し、後述するタイミング制御部１１１に切替を指示する。
【００６４】
タイミング制御部１１１は、判定部１１０の指示に基づいて、送信タイミングを早め、変調部１０８及び送信ＲＦ部１０９に新しい送信タイミングを設定する。すなわち、判定部１１０によって自局からの送信信号が通信相手局に到達した時の伝搬遅延がガードタイム長を超えていると判断された時、自局からの送信信号を送信するタイミングを早める。早めるステップ幅は任意に定めることができる。
【００６５】
次いで、上記構成を有する送受信装置の動作について説明する。
【００６６】
まず、通信相手局からの無線信号は、アンテナ１０１によって受信され、共用器１０２を介し、受信ＲＦ部１０３によって受信処理される。
【００６７】
受信信号の既知シンボル区間の信号はＭＦ１０４によって相関値が算出され、受信信号のチャネル推定値が検出され、復調部１０６に出力される。又、受信信号は、ＳＣ１０５によって、逆拡散処理される。
【００６８】
逆拡散処理された受信信号は、復調部１０６によって、チャネル推定値を用いて位相回転及び振幅変動が補正され、復調処理が行われる。
【００６９】
復調処理された受信信号は、ＣＲＣチェック部１０７によって正しく受信されたか否かが判定される。
【００７０】
ＣＲＣチェック後の受信信号は、判定部１１０に入力され、判定部１１０によって受信信号中の再送要求が抽出され、カウントされる。再送要求の連続受信回数が任意のしきい値に達すると、その旨が判定部１１０によってタイミング制御部１１１に伝達され、タイミング制御部１１１によって変調部１０８及び送信ＲＦ部１０９における送信タイミングが早められる。
【００７１】
このように、本実施の形態によれば、通信相手局からの再送要求の連続受信回数に基づいて遅延時間が継続的にガードタイム長を超える状況を検出し、送信タイミングを早めるため、伝搬遅延を抑制し、通信相手局における受信状態を改善することができる。
【００７２】
なお、遅延時間が継続的にガードタイム長を超える状況の検出条件は、再送要求の連続受信回数がしきい値を超えた場合とせず、任意時間内の再送要求の受信回数がしきい値を超えた場合とすることも可能である。
【００７３】
又、判定結果を通信相手局に送り返す際には、受信状態が良好であればデータを送信し、良好でなければ何もデータを送信せす、本実施の形態に係る送受信装置の判定部１１０は、判定結果として送り返されてくるデータが無い場合の回数をカウントするようにしてもよい。
【００７４】
（実施の形態２）
本実施の形態に係る装置は、実施の形態１と同様の構成を有し、但し通信相手局からの再送要求の連続受信回数及び通信相手局との推定距離に基づいて送信タイミングを変えるものである。
【００７５】
通信相手局における遅延が通信局間の距離が離れていることに起因するものである場合、伝搬遅延はほぼ一定に継続すると考えられるが、他の原因で偶発的に再送要求が連続しただけの場合、送信タイミングを早めるとかえって通信相手局における受信状態を劣化させる可能性がある。
【００７６】
そこで、本実施の形態では、再送要求の連続受信回数だけでなく、通信相手局との推定距離も監視し、再送要求の連続受信回数がしきい値に達し、且つ推定距離がしきい値以上の場合に、送信タイミングを早めるものとする。
【００７７】
なお、本実施の形態に係る送受信装置は、通信端末装置に用いられ、基地局装置と無線通信を行っているものとする。
【００７８】
基地局からの送信信号の通信端末における伝搬損失Ｌ〔ｄＢ〕は、セル半径１ｋｍ以上のセルにおいては、一般的に、
Ｌ＝３８・ｌｏｇ１０ｄ−１８・ｌｏｇ１０ｈ＋２１・ｌｏｇ１０ｆ＋８０
と表わすことができる。但し、ｄは通信局間の距離（ｋｍ）であり、ｆはキャリア周波数（ＭＨｚ）であり、ｈは基地局アンテナ高（ｍ）である。
【００７９】
よって、キャリア周波数及び基地局アンテナ高が既知であれば、基地局における送信電力（アンテナ利得込み）と通信端末における受信電力（アンテナ利得を差し引いたもの）とから距離ｄを推定することができる。
【００８０】
以下、図２を用いて、本実施の形態に係る送受信装置について説明する。図２は、本発明の実施の形態２に係る送受信装置の概略構成を示す要部ブロック図である。なお、実施の形態１と同様の構成には同一の符号を付し、詳しい説明は省略する。
【００８１】
図２において、距離推定部２０１は、受信ＲＦ部１０３から得た受信レベルと、復調後の受信信号中の制御信号から得た通信相手局である基地局装置の送信レベルと、がそれぞれ入力され、又、既知である端末アンテナ利得及びキャリア周波数が入力され、これらの値から前述の計算式に基づいて通信局間の推定距離を算出する。
【００８２】
判定部２０２は、ＣＲＣチェック部１０７の出力であるＣＲＣチェック後の受信信号中から再送要求を抽出し、カウントし、再送要求の受信された連続回数が任意のしきい値に達するか否かを判定する。
【００８３】
判定部２０２は、距離推定部２０１の出力である算出された通信局間の推定距離が任意のしきい値を超えているか否かを判定する。
【００８４】
再送要求の連続受信回数が任意のしきい値に達し、且つ、通信局間の推定距離が任意のしきい値を超えている場合、判定部１１０は、タイミング制御部１１１に切替を指示する。
【００８５】
このように、本実施の形態によれば、通信局間の推定距離がしきい値を超える時のみ送信タイミングを早めるため、遅延時間が継続的にガードタイム長を超える状況の検出精度を上げることができる。
【００８６】
なお、遅延時間が継続的にガードタイム長を超える状況の検出条件の一つは、再送要求の連続受信回数がしきい値を超えた場合とせず、任意時間内の再送要求の受信回数がしきい値を超えた場合とすることも可能である。
【００８７】
又、判定結果を通信相手局に送り返す際には、受信状態が良好であればデータを送信し、良好でなければ何もデータを送信せす、本実施の形態に係る送受信装置の判定部２０２は、判定結果として送り返されてくるデータが無い場合の回数をカウントするようにしてもよい。
【００８８】
上記実施の形態１及び実施の形態２で述べたように、本発明の送受信装置は、移動体通信における通信端末装置に適用することができ、通信端末装置が自律的に基地局装置からの距離が通信を行うには離れ過ぎていることを検出し、送信タイミングを早め、通信相手局である基地局装置における受信状態を改善することができる。
【００８９】
【発明の効果】
以上説明したように、本発明によれば、通信相手局到達時の遅延時間が継続的にガードタイム長を超える状況が検出された場合、自局における送信タイミングを早めるため、ガードタイム長を上回る伝搬遅延を抑制するすることができる。
【図面の簡単な説明】
【図１】本発明の実施の形態１に係る送受信装置の概略構成を示す要部ブロック図
【図２】本発明の実施の形態２に係る送受信装置の概略構成を示す要部ブロック図
【図３】従来の送受信装置の概略構成を示す要部ブロック図
【図４】従来の送受信装置におけるスロット受信の様子を示す模式図
【図５】（ａ）従来の送受信装置において遅延時間がガードタイム長よりも短い場合のスロット受信の様子を示す模式図
（ｂ）従来の送受信装置において遅延時間がガードタイム長よりも長い場合のスロット受信の様子を示す模式図
【符号の説明】
１１０  判定部
１１１  タイミング制御部
２０１  距離推定部
【図１】
0003968191.tif 000002
【図２】
0003968191.tif 000003
【図３】
0003968191.tif 000004
【図４】
0003968191.tif 000005
【図５】
0003968191.tif 000006